(57)【要約】【課題】シートを搬送する複数の従動ローラが同一の向きに傾くことを抑制し、シートの斜行を低減させることが可能なシート搬送装置を提供することである。【解決手段】当該装置は、記録用紙１４を搬送向き６に搬送する複数の排出ローラ４２Ａと、幅方向９に間隔を空けて複数設けられ、排出ローラ４２Ａよりも上方に配置される第１拍車４３Ａと、複数の第１拍車４３Ａそれぞれに対応して設けられ、第１拍車４３Ａを回転可能に支持するコイルバネ４３Ｂと、を備える。複数のコイルバネ４３Ｂは、巻き方向が右巻きのコイルバネ４３Ｂ１と巻き方向が左巻きのコイルバネ４３Ｂ２とから構成される。【選択図】  図７
2019131349.tif 000002
【特許請求の範囲】
【請求項１】
シートを搬送方向に搬送する搬送ローラと、
上記搬送方向と交差する幅方向に間隔を空けて複数設けられ、上記搬送方向及び上記幅方向と直交する方向において上記搬送ローラと対向して配置される従動ローラと、
複数の上記従動ローラそれぞれに対応して設けられ、上記従動ローラを回転可能に支持する回転軸としてのコイルバネと、を備え、
複数の上記コイルバネは、
巻き方向が右巻きのコイルバネと巻き方向が左巻きのコイルバネとから構成されることを特徴とする、シート搬送装置。
【請求項２】
上記幅方向において、搬送されるシートが通過する領域内に配置される複数の上記従動ローラに対応する上記コイルバネのうち、最も外側に配置される２つの上記コイルバネの巻き方向は異なることを特徴とする、請求項１に記載のシート搬送装置。
【請求項３】
上記シート搬送装置は、上記幅方向の長さが異なる第１サイズのシートと、第２サイズのシートを搬送可能であり、
上記幅方向において、搬送される上記第１サイズのシートが通過する領域内に配置される複数の上記従動ローラに対応する上記コイルバネのうち、最も外側に配置される２つの上記コイルバネの巻き方向は、それぞれ異なり、
上記幅方向において、搬送される上記第２サイズのシートが通過する領域内に配置される複数の上記従動ローラに対応する上記コイルバネのうち、最も外側に配置される２つの上記コイルバネの巻き方向も、それぞれ異なることを特徴とする、請求項２に記載のシート搬送装置。
【請求項４】
シートを収容可能なシート収容部と、
上記シート収容部よりも上記搬送方向の下流側に設けられ、シートが上記搬送方向に沿って搬送される搬送経路と、
上記搬送経路において上記幅方向の両端に設けられ、上記搬送経路を区画する第１ガイド部材及び第２ガイド部材と、を更に備え、
上記シート搬送装置は、上記幅方向における上記第１ガイド部材と上記第２ガイド部材の間の中央位置と、上記搬送経路を搬送されるシートの上記幅方向の中央位置とが、上記幅方向において同じ位置となるようにシートを搬送するものであり、
上記幅方向において、上記第１ガイド部材と上記第２ガイド部材の間の中央位置から同じ間隔で配置された２つの上記コイルバネの巻き方向が異なることを特徴とする、請求項２に記載のシート搬送装置。
【請求項５】
複数の上記コイルバネは、
上記幅方向において隣り合う上記コイルバネの巻き方向が異なるように構成されることを特徴とする、請求項１から４のいずれか１項に記載のシート搬送装置。
【請求項６】
複数の上記従動ローラそれぞれに対応して設けられ、上記コイルバネを保持する従動ローラホルダを更に備え、
複数の上記コイルバネのうち、上記右巻きのコイルバネと上記左巻きのコイルバネの一方は、軸部と、上記軸部の端部から突出する第１突出部とを有し、上記右巻きのコイルバネと上記左巻きのコイルバネの他方は、上記軸部と、上記軸部の端部から突出し、上記第１突出部と異なる形状の第２突出部とを有し、
複数の上記従動ローラホルダのうち、上記第１突出部を有する上記コイルバネに対応する上記従動ローラホルダは、上記第１突出部と係合し、上記第２突出部とは係合しない第１係合部を有し、上記第２突出部を有する上記コイルバネに対応する上記従動ローラホルダは、上記第２突出部と係合し、上記第１突出部とは係合しない第２係合部を有することを特徴とする、請求項１から５のいずれか１項に記載のシート搬送装置。
【請求項７】
複数の上記従動ローラそれぞれに対応して設けられ、上記幅方向において上記従動ローラを挟んで対向して配置される第１規制部及び第２規制部であって、上記搬送方向において上記コイルバネを間に挟むようにして設けられ、上記コイルバネと当接して上記コイルバネが上記搬送方向に対して傾くことを規制する一対の規制面を持つ第１規制部及び第２規制部を有する従動ローラホルダを更に備え、
上記第１規制部における一対の上記規制面のうち、上記搬送方向における上流側の上記規制面と、上記第２規制部における一対の上記規制面のうち、上記搬送方向における上流側の上記規制面とは、上記搬送方向において互いに異なる位置に配置され、上記第１規制部における一対の上記規制面のうち、上記搬送方向における下流側の上記規制面と、上記第２規制部における一対の上記規制面のうち、上記搬送方向における下流側の上記規制面とは、上記搬送方向において互いに異なる位置に配置されることを特徴とする、請求項１から６のいずれか１項に記載のシート搬送装置。
【請求項８】
上記搬送方向における上流側から下流側を見た視点において、上記第１規制部は、上記従動ローラよりも右側に配置され、上記第２規制部は、上記従動ローラよりも左側に配置され、
上記右巻きのコイルバネに対応した上記従動ローラホルダにおいて、
上記第１規制部における上記搬送方向の上流側の上記規制面は、上記第２規制部における上記搬送方向の上流側の上記規制面よりも上記搬送方向の下流側に位置し、上記第１規制部における上記搬送方向の下流側の上記規制面は、上記第２規制部における上記搬送方向の下流側の上記規制面よりも上記搬送方向の下流側に位置し、
上記左巻きのコイルバネに対応した上記従動ローラホルダにおいて、
上記第１規制部における上記搬送方向の上流側の上記規制面は、上記第２規制部における上記搬送方向の上流側の上記規制面よりも上記搬送方向の上流側に位置し、上記第１規制部における上記搬送方向の下流側の上記規制面は、上記第２規制部における上記搬送方向の下流側の上記規制面よりも上記搬送方向の上流側に位置することを特徴とする、請求項７に記載のシート搬送装置。
【請求項９】
上記従動ローラホルダは、
上記コイルバネよりも上記搬送方向の上流側であり、且つ、上記幅方向において上記従動ローラを間に挟むようにして互いに向かい合って設けられ、上記従動ローラが上記搬送方向に対して傾いた際に上記従動ローラと当接して上記従動ローラの傾きを規制する一対の第１当接面と、上記コイルバネよりも上記搬送方向の下流側であり、且つ、上記幅方向において上記従動ローラを間に挟むようにして互いに向かい合って設けられ、上記従動ローラが上記搬送方向に対して傾いた際に上記従動ローラと当接して上記従動ローラの傾きを規制する一対の第２当接面と、を有し、
上記右巻きのコイルバネに対応した上記従動ローラホルダにおいて、
上記搬送方向の上流側から下流側を見た視点において、上記一対の上記第１当接面のうち右側に配置される上記第１当接面は、上記一対の上記第２当接面のうち右側に配置される上記第２当接面よりも右側に位置しており、上記一対の上記第１当接面のうち左側に配置される上記第１当接面は、上記一対の上記第２当接面のうち左側に配置される上記第２当接面よりも右側に位置し、
上記左巻きのコイルバネに対応した上記従動ローラホルダにおいて、
上記搬送方向の上流側から下流側を見た視点において、上記一対の上記第１当接面のうち右側に配置される上記第１当接面は、上記一対の上記第２当接面のうち右側に配置される上記第２当接面よりも左側に位置しており、上記一対の上記第１当接面のうち左側に配置される上記第１当接面は、上記一対の上記第２当接面のうち左側に配置される上記第２当接面よりも左側に位置することを特徴とする、請求項６から８のいずれか１項に記載のシート搬送装置。
【発明の詳細な説明】
【技術分野】
【０００１】
本発明は、シート搬送装置に関し、特にシートが搬送ローラ及び従動ローラによって搬送される際、搬送方向に対して平行な姿勢から傾く従動ローラの傾きに起因するシートの斜行を低減するための構成に関する。
【背景技術】
【０００２】
特許文献１に示されるように、従来のインクジェット式プリンタにおいては、シートを副走査方向に搬送するための排紙ローラを備えた構成が一般的に採用されている。また、排紙ローラと対向する位置には、排紙ローラと協働してシートを搬送するための従動ローラが設けられている。従動ローラは、記録部よりも副走査方向（すなわち、シートの搬送方向）の下流側において主走査方向に並んで複数設けられている。
【０００３】
この従動ローラは、コイルバネを回転軸として回転可能に支持されている。従動ローラは、コイルバネの弾性力によって排紙ローラに向けて付勢され、これにより排紙ローラ及び従動ローラの間にシートをニップするためのニップ圧が生まれる。
【先行技術文献】
【特許文献】
【０００４】
【特許文献１】特開２０１６−１６００２５号公報
【発明の概要】
【発明が解決しようとする課題】
【０００５】
コイルバネによって回転可能に支持される従動ローラは、シートを搬送する際にシートから受ける力によって、副走査方向に対して平行な姿勢から傾く。つまり、従動ローラは、従動ローラの副走査方向の上流端と下流端の走査方向における位置が異なるように傾く。排紙ローラ及び従動ローラによって搬送されるシートは、傾いた従動ローラの向きに倣って斜行しながら搬送されてしまうため、例えば、排紙ローラ及び従動ローラによってシートを搬送しながらシートの印刷面に画像記録を行う際にインクの着弾位置が所望の位置からずれ、画像記録結果が乱れる虞がある。
【０００６】
従動ローラ及びコイルバネは、従動ローラホルダによって支持されている。また、従動ローラホルダには、従動ローラを間に挟むようにして互いに向かい合って設けられ、従動ローラの傾きを規制する一対の規制面を有している。そして、この一対の規制面が、従動ローラが副走査方向に対して平行な姿勢のまま回転するように従動ローラの傾きを規制している。しかし、従動ローラを滑らかに回転させるためには従動ローラと規制面の間には必ずクリアランスが必要であり、そのため、従動ローラの傾きを完全に抑えることは困難である。
【０００７】
本発明者は、従動ローラの傾きの要因について研究したところ、従動ローラを支持するコイルバネの巻き方向が従動ローラの傾きに影響を与えていることを発見した。詳細には、巻き方向が右巻き（巻き始めを起点として時計回りに巻かれる）のコイルバネに支持される従動ローラと、巻き方向が左巻き（巻き始めを起点として反時計回りに巻かれる）のコイルバネに支持される従動ローラとでは、互いに反対の向きに傾きやすい傾向にあることを発見した。
【０００８】
本発明は、上述した本発明者による新たな発見に基づいてなされたものであり、その目的は、巻き方向の異なるコイルバネを用いて従動ローラを支持することで、複数の従動ローラが同一の向きに傾くことを抑制し、シートの斜行を低減させることが可能なシート搬送装置を提供することである。
【課題を解決するための手段】
【０００９】
本発明に係るシート搬送装置は、シートを搬送方向に搬送する搬送ローラと、上記搬送方向と交差する幅方向に間隔を空けて複数設けられ、上記搬送方向及び上記幅方向と直交する方向において上記搬送ローラと対向して配置される従動ローラと、複数の上記従動ローラそれぞれに対応して設けられ、上記従動ローラを回転可能に支持する回転軸としてのコイルバネと、を備える。更に、複数の上記コイルバネは、巻き方向が右巻きのコイルバネと巻き方向が左巻きのコイルバネとから構成されることを特徴とする。
【００１０】
本構成によれば、従動ローラを回転可能に支持するコイルバネの巻き方向が右巻きと左巻きのものを含む。これにより、複数の従動ローラが同一の方向に傾くことを抑制し、シートが従動ローラの傾きに倣って斜行しながら搬送されることを抑制することができる。
【発明の効果】
【００１１】
本発明によれば、巻き方向の異なるコイルバネを用いて従動ローラを支持することで、複数の従動ローラが同一の向きに傾くことを抑制し、シートの斜行を低減させることができる。
【図面の簡単な説明】
【００１２】
【図１】図１は、本発明の実施形態の一例である複合機１０の斜視図である。
【図２】図２は、複合機１０の構成を示す模式図である。
【図３】図３は、第１ガイドレール３６及びプラテン３５の平面図である。
【図４】図４は、図３の搬送向き６の下流からの斜視図である。
【図５】図５は、図３のＡ−Ａ線に沿った断面図である。
【図６】図６（Ａ）は、第1拍車４３Ａ及び拍車支持部４６Ａの平面図である。図６（Ｂ）は、第1拍車４３Ａが傾いた状態における第1拍車４３Ａ及び拍車支持部４６Ａの平面図である。
【図７】図７は、変形例１における第1拍車４３Ａ及び拍車支持部４６Ａの平面図である。
【図８】図８は、変形例２における第1拍車４３Ａ及び拍車支持部４６Ａの平面図である。
【図９】図９は、変形例３における第1拍車４３Ａ及び拍車支持部４６Ａの平面図である。
【図１０】図１０は、変形例４における第1拍車４３Ａ及び拍車支持部４６Ａの平面図である。
【発明を実施するための形態】
【００１３】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された図１の状態を基準として、上下方向７、前後方向８、左右方向９（以下、「幅方向９」とする）が定義される。
【００１４】
［複合機１０の全体構成］
図１に示される複合機１０（「インクジェット記録装置」の一例）は、プリンタ機能、ファクシミリ機能、コピー機能等の各種の機能を有している。複合機１０は、直方体形状に構成された装置本体１１と、装置本体１１の下部に対して着脱可能になった給送トレイ１３と、を有している。給送トレイ１３は、図１に示されるように、装置本体１１に装着された状態で、装置本体１１に対して前方に引き出されることによって装置本体１１に対して非装着状態になる。
【００１５】
図２に示されるように、装置本体１１内の上部には、被記録媒体に画像を記録する記録部３１が設けられる。装置本体１１に装着された給送トレイ１３は、記録部３１の下方に位置しており、被記録媒体としての複数枚のシートを上下に積み重ねた状態で収容可能である。本実施形態では、給送トレイ１３内に、シートとして、Ａ４サイズの普通紙である記録用紙１４が、長手方向を前後方向８に沿った状態で収容されている。なお、給送トレイ１３に収容される記録用紙１４のサイズ等は一例にすぎず、他のサイズ、普通紙以外のシートであってもよい。
【００１６】
装置本体１１の内部には、給送トレイ１３内に収容された最上部の１枚の記録用紙１４を後方へ向けて搬送する給送部１６と、給送トレイ１３から後方に向けて搬送される記録用紙１４を上方へ案内する給送ガイド部材１５と、が設けられている。給送ガイド部材１５は、装置本体１１内における背面に近接した位置に配置されている。
【００１７】
図２に示されるように、給送部１６は、幅方向９に沿った給送ローラ１６Ａと、給送ローラ１６Ａを上下方向７に移動可能に支持する支持アーム１６Ｂとを有する。支持アーム１６Ｂは、幅方向９に沿った支持軸１６Ｄに回動可能に支持され、給送ローラ１６Ａは、支持アーム１６Ｂの先端部に回転可能に支持される。給送ローラ１６Ａは、支持アーム１６Ｂが支持軸１６Ｄを中心として上下方向７に回動すると、給送トレイ１３内の最上部の記録用紙１４に当接する位置と、当該記録用紙１４から上方に離間した位置とに移動する。給送ローラ１６Ａは、動力伝達機構１６Ｃを介して図示しないモータの動力が伝達されて回転する。
【００１８】
給送ローラ１６Ａが、給送トレイ１３内に収容された最上部の記録用紙１４に当接した状態で回転されると、当該記録用紙１４が後方に向けて給送される。給送トレイ１３から給送される記録用紙１４は、給送ガイド部材１５の下端部へ搬送される。
【００１９】
給送ガイド部材１５には、記録用紙１４が通過する搬送路２９が設けられている。給送ガイド部材１５は、装置本体１１の背面に向かって突出した円弧状になっており、給送ガイド部材１５にて案内される記録用紙１４は、給送ガイド部材１５の上端部から前方に向かって搬送される。
【００２０】
なお、給送トレイ１３内の記録用紙１４は、幅方向９の中央部が、搬送路２９の幅方向９の中央部に沿った状態（中央基準）で搬送される。また、複合機１０は、Ａ４サイズの記録用紙１４に限らず、これよりも小サイズの記録用紙１４、例えばハガキ（普通紙よりも剛性が高い）も搬送路２９内に中央基準で給送可能になっている。なお、ハガキは、小サイズのシートの一例にすぎず、Ｌ判サイズのシート等であってもよい。
【００２１】
給送ガイド部材１５の上端部に近接した前方位置には、給送ガイド部材１５の上端部を通過した記録用紙１４を記録部３１の下方へ搬送する搬送ローラ対２１が設けられている。搬送ローラ対２１の前方位置、すなわち、搬送ローラ対２１による記録用紙１４の搬送向き（以下、搬送向き６（図２参照）とする）の下流位置には、記録部３１の下方において記録用紙１４を支持するプラテン３５が設けられている。記録部３１の下部に設けられた記録ヘッド３３に対して搬送向き６の上流及び下流には、記録用紙１４に幅方向９に沿った波形状を付与する上流波形状付与機構６１及び下流波形状付与機構４１がそれぞれ設けられている。
【００２２】
搬送ローラ対２１は、給送ガイド部材１５を通過した記録用紙１４の上面に当接する１つの搬送ローラ２２と、記録用紙１４の下面に当接する複数のピンチローラ２６とを有する。給送ガイド部材１５を通過した記録用紙１４は、搬送ローラ２２及びピンチローラ２６によって挟持（ニップ）されて、プラテン３５と記録部３１との間の搬送路２９に搬送される。搬送路２９は、下流波形状付与機構４１を介して、排紙トレイ１７にまで達している。
【００２３】
プラテン３５の上方に設けられた記録部３１は、それぞれが搬送向き６と直交する幅方向９に沿って配置された第１ガイドフレーム３６及び第２ガイドフレーム３７によって支持されている。第１ガイドフレーム３６及び第２ガイドフレーム３７は、搬送向き６に一定の所定の間隔を空けた状態で、相互に平行に支持されている。
【００２４】
記録部３１は、第１ガイドフレーム３６及び第２ガイドフレーム３７の間にわたってスライド可能に架設されたキャリッジ３２を有し、キャリッジ３２の下部に記録ヘッド３３が設けられている。
【００２５】
記録ヘッド３３は、下方に向かってインクを吐出する複数のノズル３４を備えている。各ノズル３４には、インクカートリッジ（不図示）からインクが供給される。複数のノズル３４は、搬送向き６に沿って列状に配置されており、記録ヘッド３３の下面であるノズル面３４Ａに開口している。ノズル面３４Ａは、搬送向き６及び幅方向９に沿った平面である。なお、本実施形態では、ノズル面３４Ａは水平状態である。
【００２６】
記録部３１の下方に設けられたプラテン３５は、搬送ローラ対２１によって搬送される記録用紙１４を支持する。搬送ローラ対２１によって搬送される記録用紙１４がプラテン３５上の所定位置になると、記録用紙１４の搬送が停止される。
【００２７】
記録部３１では、プラテン３５上において記録用紙１４が停止されると、キャリッジ３２が搬送向き６とは直交する幅方向９にスライドされる間に記録ヘッド３３のノズル３４からインクを選択的に吐出する記録処理が実行される。その後、プラテン３５上の記録用紙１４が搬送ローラ対２１によって所定の距離だけ搬送される搬送処理と、上記の記録処理とが繰り返し実行されることにより、記録用紙１４の全体にわたって画像が記録される。
【００２８】
［下流波形状付与機構４１］
記録ヘッド３３に対して搬送向き６に設けられた下流波形状付与機構４１は、プラテン３５上に支持された記録用紙１４を搬送向き６に搬送するとともに、プラテン３５上の記録用紙１４に幅方向９に沿った波形状を付与する。
【００２９】
下流波形状付与機構４１は、記録部３１で画像が記録された記録用紙１４の下面に当接する複数の排出ローラ４２Ａと、上方から上面に当接する複数の第１拍車４３Ａ及び複数の第２拍車４４Ａとを有する。複数の排出ローラ４２Ａは、幅方向９に相互に隔てられて配置されており、複数の第１拍車４３Ａのそれぞれは、排出ローラ４２Ａのそれぞれの上方に配置されている。第１拍車４３Ａのそれぞれは拍車支持部材４６に支持されている。排出ローラ４２Ａのそれぞれの軸心部には、１本の排出ローラ軸４２Ｂが挿通している。
【００３０】
記録用紙１４は、排出ローラ４２Ａ及び第１拍車４３Ａによるニップ位置ＮＰ２（図５参照）で挟持されることによって、幅方向９に沿って波打った状態とされて、搬送向き６の下流へ搬送される。第２拍車４４Ａは、軸体４４Ｂに支持されており、排出ローラ４２Ａ及び第１拍車４３Ａによって搬送される記録用紙１４の上面に当接する。その後、記録用紙１４は排紙トレイ１７上に排出される。第２拍車４４Ａには、２つの円板状の拍車部４４Ｃが幅方向９に間隔を空けて設けられている。
【００３１】
［上流波形状付与機構６１］
図３及び図４に示されるように、上流波形状付与機構６１は、第１ガイドフレーム３６の下面に取り付けられた複数の上流当接部材６２を有している。複数の上流当接部材６２は、それぞれ同じ形状に形成されており、図５に示されるように、第１ガイドフレーム３６の下面に取り付けられるベース部６２Ａと、ベース部６２Ａから垂下された状態の接続部６２Ｂと、接続部６２Ｂの下端部に設けられた当接部６２Ｃとを有している。当接部６２Ｃは、搬送向き６とは直交する上下方向７に移動可能である。上流当接部材６２は、合成樹脂（例えばポリアセタール（ＰＯＭ））によって一体的に成形されている。
【００３２】
ベース部６２Ａは、第１ガイドフレーム３６の下方に位置しており、第１ガイドフレーム３６に係止される複数の係止部６２Ｄを有している。各係止部６２Ｄは、ベース部６２Ａから上方に突出している。第１ガイドフレーム３６には、各係止部６２Ｄが挿入される開口３６Ａ（図３及び図４参照）が設けられている。
【００３３】
図３及び図４に示されるように、プラテン３５には、プラテン３５の上面から上方の搬送路２９へ突出し、記録用紙１４を下方から支持する複数のリブ３５Ａが設けられている。リブ３５Ａのそれぞれは、同様の構成になっており、シート搬送方向６に沿って延設されている。
【００３４】
上流当接部材６２の当接部６２Ｃは、上下方向７に移動可能なように構成されており、記録用紙１４がプラテン３５と上流当接部材６２の間に搬送された際に、記録用紙１４の厚さ分、上方に移動する。プラテン３５は、リブ３５Ａの上端が、記録用紙１４の厚さ分上方に移動した上流当接部材６２の当接部６２Ｃの下端の位置（記録用紙１４と当接する位置）よりも上方となるように構成されている。これにより、プラテン３５のリブ３５Ａに支持された記録用紙１４は、上方から当接部材６２の当接部６２Ｃが当接し、且つ、下方からリブ３５Ａによって支持されることにより、幅方向９に沿った波形状が形成される。
【００３５】
［搬送ローラ対２１］
図４に示されるように、搬送ローラ対２１の搬送ローラ２２は、第１ガイドフレーム３６の幅方向９の両端部を支持するサブフレーム３９にそれぞれ支持されている。なお、図３及び図４に示されていないが、第２ガイドフレーム３７も、幅方向９の両端部が、サブフレーム３９のそれぞれに支持されている。搬送ローラ２２には、図示しないモータの回転が伝達されて、図２に矢印Ｄ１で示す向きに回転される。
【００３６】
図５に示されるように、複数のピンチローラ２６は、搬送ローラ２２の下方に設けられており、それぞれが幅方向９に間隔を隔てられた状態でローラホルダ２８に支持されている。ローラホルダ２８は、各ピンチローラ２６が搬送ローラ２２に接した状態から離間した状態になるように移動可能である。搬送ローラ２２に接した各ピンチローラ２６は、搬送ローラ２２の回転に追従して回転する。
【００３７】
搬送ローラ２２と各ピンチローラ２６とが接する位置は、搬送される記録用紙１４を挟持するニップ位置ＮＰ１であり、ニップ位置ＮＰ１（図５参照）で挟持された記録用紙１４は、搬送ローラ２２及びピンチローラ２６の回転により搬送向き６の下流に搬送される。
【００３８】
［排出ローラ４２Ａ、第１拍車４３Ａ］
各排出ローラ４２Ａは、ゴム等の弾性部材によって円筒形状に構成されており、排出ローラ軸４２Ｂに同軸状態で嵌合されている。排出ローラ軸４２Ｂは、図示しない伝動機構を介して、モータの回転力が伝達されて、図２に矢印Ｄ２で示す向きに回転される。これにより、全ての排出ローラ４２Ａが一体的に回転する。
【００３９】
図５に示されるように、排出ローラ４２Ａの上方に設けられた複数の第１拍車４３Ａ及び第１拍車４３Ａの搬送向き６の下流側に設けられた複数の第２拍車４４Ａは、拍車支持部材４６によって支持されている。図５に示されるように、拍車支持部材４６における搬送向き６の上流の端部は、排出ローラ４２Ａの上方に位置しており、図４に示されるように、各排出ローラ４２Ａの上方に第１拍車４３Ａがそれぞれ支持されている。第１拍車４３Ａには、２つの円板状の拍車部４３Ｃが幅方向９に間隔を空けて設けられている。拍車部４３Ｃのそれぞれの外周面には、周方向に沿って凹凸部が設けられている。第１拍車４３Ａの軸心部には、幅方向９に沿った軸体４３Ｂが挿通している。軸体４３Ｂは、コイルバネであり、拍車部４３Ｃに対して幅方向９の両外において搬送向き６に沿って設けられた拍車支持部４６Ａ（図５参照）に回転可能に支持されている。軸体４３Ｂは、軸部４３Ｆと、後述する第１突出部４３Ｄ、第２突出部４３Ｅを有している。なお、以下の説明において、軸体４３Ｂをコイルバネ４３Ｂとも記載する。
【００４０】
図５に示されるように、第１拍車４３Ａにおける各拍車部４３Ｃは、記録用紙１４が搬送されない状態では、それぞれの下方に位置する各排出ローラ４２Ａに接しており、各排出ローラ４２Ａの回転に追従して回転する。第１拍車４３Ａの各拍車部４３Ｃと排出ローラ４２Ａとが接した位置は、搬送される記録用紙１４を挟持するニップ位置ＮＰ２になっており、当該ニップ位置ＮＰ２で挟持された記録用紙１４は、排出ローラ４２Ａ及び拍車部４３Ｃの回転によって搬送向き６の下流に搬送される。第１拍車４３Ａ及び排出ローラ４２Ａによるニップ位置ＮＰ２は、上流波形状付与機構６１の各上流当接部材６２における当接部６２Ｃが記録用紙１４に当接する位置と、幅方向９において同じ位置である。
【００４１】
図６は、第１拍車４３Ａ、軸体４３Ｂ及び、拍車支持部４６Ａを上方から視た平面図を示している。また、図６（Ａ）は、第１拍車４３Ａが搬送向き６と平行な姿勢で軸体４３Ｂに支持されている状態を示しており、図６（Ｂ）は、第１拍車４３Ａが搬送向き６に対して傾いた状態で軸体４３Ｂに支持されている状態を示している。図６（Ａ）に示されるように、拍車支持部４６Ａは、当接部７１、第１規制部７２、及び第２規制部７３とから構成されている。当接部７１は、軸体４３Ｂに支持されている第１拍車４３Ａと当接し、第１拍車４３Ａの傾きを規制する。第１規制部７２、第２規制部７３は、幅方向９において間隔を空けて設けられており、軸体４３Ｂの幅方向９の両端部を保持すると共に、軸体４３Ｂが傾くことを規制している。当接部７１は、軸体４３Ｂよりも下方に位置しており、軸体４３Ｂとは接触しない。当接部７１、第１規制部７２、及び第２規制部７３は、一体形成されている。なお、本実施形態において、第１拍車４３Ａが傾くとは、第１拍車４３Ａに対する上下方向７における視点において、第１拍車４３Ａが、搬送向き６と平行な状態から傾くことを指す。
【００４２】
図６（Ｂ）に示されるように、当接部７１は、第１拍車４３Ａが傾いた際に第１拍車４３Ａと当接し、第１拍車４３Ａの傾きを規制する２つの当接面７１Ａを有している。２つの当接面７１Ａは、幅方向９において第１拍車４３Ａを挟むようにして互いに向かい合って形成されている。
【００４３】
図６（Ｂ）に示されるように、本実施形態では、軸体４３Ｂとして、巻き方向が右巻きのコイルバネ４３Ｂ１と、巻き方向が左巻きのコイルバネ４３Ｂ２とを用いている。上述したように、第１拍車４３Ａは、搬送向き６に沿って搬送される記録用紙１４と当接すると、記録用紙１４から受ける力によって搬送向き６に対して傾く（図６（Ｂ）参照）。第１拍車４３Ａが搬送向き６に対して傾くと、排出ローラ４２Ａ及び第１拍車４３Ａによって挟持され、搬送向き６へ搬送される記録用紙１４は、傾いた第１拍車４３Ａの傾きに倣って、斜行して搬送されてしまう虞がある。
【００４４】
本発明者は、記録用紙の斜行を抑制するために、拍車の傾きの要因について研究したところ、拍車は、拍車を支持するコイルバネの巻き方向によって傾く向きが異なる傾向にあることを発見した。詳細には、図６（Ｂ）に示されるように、コイルバネは、右巻き（巻き始めを起点として時計回りに巻かれる）で製造されたか、あるいは左巻き（巻き始めを起点として反時計回りに巻かれる）で製造されたかによって、コイルバネの溝が延びる方向が異なる。拍車の軸穴にコイルバネが挿通されると、拍車は、軸穴の軸方向における端部がコイルバネの溝に嵌って姿勢が決まる。つまり、拍車は、コイルバネの溝が延びる方向に倣って傾きやすくなる傾向がある。
【００４５】
複数の第１拍車４３Ａを支持する軸体４３Ｂとして、全て同じ巻き方向のコイルバネ４３Ｂを用いると、複数の第１拍車４３Ａは、全て同一の方向に傾きやすくなる。すると、搬送向き６に搬送される記録用紙１４は、第１拍車４３Ａの傾く方向に倣って斜行しながら搬送される虞がある。記録用紙１４が斜行されながら搬送されると、記録ヘッド３３のノズル３４から記録用紙１４に吐出されるインクの着弾位置が所望の位置からずれてしまい、その結果、記録用紙１４に記録された画像が乱れる虞がある。
【００４６】
本実施形態では、複数の第１拍車４３Ａを支持する軸体４３Ｂとして、右巻きのコイルバネ４３Ｂ１と左巻きのコイルバネ４３Ｂ２とを用いている。これにより、複数の第１拍車４３Ａが同一の向きに傾くことを抑制し、排出ローラ４２Ａ及び第１拍車４３Ａによって搬送向き６に搬送される記録用紙１４が斜行する虞を抑制することが可能となる。
【００４７】
更に、本実施形態では、図６（Ｂ）に示されるように、複数のコイルバネ４３Ｂは、幅方向９において隣り合う２つのコイルバネ４３Ｂの巻き方向が異なるように構成されている。つまり、幅方向９において、右巻きのコイルバネ４３Ｂ１と左巻きのコイルバネ４３Ｂ２とが、交互に配置されるようにしている。これにより、隣り合う２つの第１拍車４３Ａにおいて、方向Ｔ１（斜め右前方向き）に記録用紙１４を斜行して搬送させようとする力と、方向Ｔ２（斜め左前方向き）に記録用紙１４を斜行して搬送させようとする力とが互いに打ち消し合うため、より効果的に記録用紙１４の斜行を抑制することができる。
【００４８】
また、図６（Ｂ）に示されるように、右巻きのコイルバネ４３Ｂ１は、軸部４３Ｆの幅方向９における両端部から、幅方向９に向かって突出するＬ字状の一対の第１突出部４３Ｄを有している。一方、左巻きのコイルバネ４３Ｂ２は、軸部４３Ｆの幅方向９における両端部から、幅方向９に向かって突出する円形状の一対の第２突出部４３Ｅを有している。第１突出部４３Ｄ及び第２突出部４３Ｅは、軸部４３Ｆと一体であり、コイルバネ４３Ｂの一部である。また、右巻きのコイルバネ４３Ｂ１を保持する拍車支持部４６Ａには、一対の第１突出部４３Ｄと係合するＬ字状の２つの第１係合部７２Ｃ、７３Ｃが形成されている。また、左巻きのコイルバネ４３Ｂ２を保持する拍車支持部４６Ａには、一対の第２突出部４３Ｅと係合する円形状の２つの第２係合部７２Ｄ、７３Ｄが形成されている。第１係合部７２Ｃ、７３Ｃは、第１突出部４３Ｄが嵌るようなＬ字状の溝であり、第２係合部７２Ｄ、７３Ｄは、第２突出部４３Ｅが嵌るような円形状の溝である。これにより、例えば製品の組み立て時において、右巻きのコイルバネ４３Ｂ１を左巻きのコイルバネ４３Ｂ２が配置されるべき位置に誤って取り付けようとしても、第１突出部４３Ｄと第２係合部７２Ｄ、７３Ｄの形状が異なるため、取り付けることができない。反対に、左巻きのコイルバネ４３Ｂ２を右巻きのコイルバネ４３Ｂ１が配置されるべき位置に誤って取り付けようとしても、第２突出部４３Ｅと第１係合部７２Ｃ、７３Ｃの形状が異なるため、取り付けることができない。
【００４９】
コイルバネ４３Ｂは、見た目上は右巻きか左巻きかを判断することは困難であるため、組み付け時に配置を誤って組み付けてしまう虞がある。しかし、本実施形態のように右巻きのコイルバネ４３Ｂ１と左巻きのコイルバネ４３Ｂ２とで形状を変更することや、右巻きのコイルバネ４３Ｂ１に対応する拍車支持部４６Ａと左巻きのコイルバネ４３Ｂ２に対応する拍車支持部４６Ａとで形状を変更することで、右巻きのコイルバネ４３Ｂ１と左巻きのコイルバネ４３Ｂ２の組み付けミスを抑制することができる。なお、第１突出部４３Ｄ及び第２突出部４３Ｅや、第１係合部７２Ｃ、７３Ｃ及び第２係合部７２Ｄ、７３Ｄの形状はＬ字状や円形状に限らず、右巻きのコイルバネ４３Ｂ１が左巻きのコイルバネ４３Ｂ２を保持する拍車支持部４６Ａに組み付けられないように、または左巻きのコイルバネ４３Ｂ２が右巻きのコイルバネ４３Ｂ１を保持する拍車支持部４６Ａに組み付けられないように、異なる形状を有していればよい。
【００５０】
［変形例１］
上述した本実施形態では、幅方向９において右巻きのコイルバネ４３Ｂ１と左巻きのコイルバネ４３Ｂ２とが交互になるように配置し、記録用紙１４の斜行を効果的に抑制するようにしていた。しかし、本実施形態はこの構成に限定されず、図７に示されるように、記録用紙１４が搬送される幅方向９における領域のうち、最も外側に配置される２つのコイルバネ４３Ｂの巻き方向が異なるように構成してもよい。記録用紙１４は、幅方向９において外側に配置される第１拍車４３Ａからの力に大きな影響を受けて斜行する傾向がある。そのため、幅方向９における両外側に配置される２つの第１拍車４３Ａの傾く方向が同一である場合、一層、記録用紙１４は第１拍車４３Ａの傾く方向に倣って斜行しやすくなる。本変形例１では、記録用紙１４の斜行に最も大きな影響を与える幅方向９における両外側の２つのコイルバネ４３Ｂの巻き方向を異なるようにしているため、幅方向９における両外側に配置される２つの第１拍車４３Ａが互いに異なる向きに傾きやすくなる。これにより、幅方向９における両外側に配置される２つの第１拍車４３Ａから記録用紙１４が受ける、記録用紙１４を斜行して搬送させようとする力を打ち消し合うことができるため、効果的に記録用紙１４の斜行を抑制することができる。なお、本変形例１のように、幅方向９における両外側のコイルバネ４３Ｂの巻き方向を異なるようにし、且つ、上述した本実施形態のように、幅方向９において隣り合う２つのコイルバネ４３Ｂの巻き方向が異なるように構成してもよい。このように構成することで、より一層、効果的に記録用紙１４の斜行を抑制することが可能となる。
【００５１】
また、幅方向９における長さの異なる複数種類の記録用紙１４を搬送する場合、各種類の記録用紙１４が通過する幅方向９におけるそれぞれの領域において、幅方向９における両外側に配置されるコイルバネ４３Ｂの巻き方向を異なるように構成してもよい。例えば、図７に示されるように、Ａ４サイズの記録用紙Ｐ１が搬送される領域において、幅方向９の両外側に配置されるコイルバネ４３Ｂの巻き方向を異なるようにし、且つ、ハガキＰ２が搬送される領域において、幅方向９の両外側に配置されるコイルバネ４３Ｂの巻き方向を異なるようにする。このように、各種類の記録用紙１４それぞれに対して、幅方向９の両外側に配置される２つの第１拍車４３Ａが互いに異なる向きに傾きやすくなるように構成することで、複数種類の記録用紙１４それぞれに対して斜行を効果的に抑制することが可能となる。
【００５２】
［変形例２］
図８を用いて本変形例２について説明する。上述したように、本実施形態の複合機１０において、記録用紙１４は、幅方向９の中央部が、搬送路２９の幅方向９の中央部に沿った状態（中央基準）で搬送される。このように、記録用紙１４が中央基準で搬送される際の中央基準線Ｏを、図８において一点鎖線で示す。図８に示されるように、搬送路２９の幅方向９の左端には、ガイド部材２９Ａが設けられ、幅方向９の右端には、ガイド部材２９Ｂが設けられている。２つのガイド部材２９Ａと２９Ｂは、記録用紙１４の幅方向９の両端をガイドするものであり、搬送路２９を区画する。幅方向９における中央基準線Ｏの位置は、２つのガイド部材２９Ａと２９Ｂそれぞれから距離Ｌ１離れた位置、つまり、２つのガイド部材２９Ａと２９Ｂの間における中央の位置であり、搬送向き６に中央基準で搬送される複数種類の記録用紙１４それぞれの幅方向９における中央の位置と同じである。
【００５３】
本変形例２では、この中央基準線Ｏから幅方向９において等間隔で配置される２つの拍車支持部４６Ａに支持されるコイルバネ４３Ｂの巻き方向が異なるように構成されている。例えば、図８に示されるように、中央基準線Ｏから幅方向９において距離Ｌ２の間隔を空けて配置される２つの拍車支持部４６Ａに支持されるコイルバネ４３Ｂは巻き方向が異なる。同様にして、中央基準線Ｏから幅方向９において距離Ｌ３の間隔を空けて配置される２つの拍車支持部４６Ａに支持されるコイルバネ４３Ｂは巻き方向が異なり、中央基準線Ｏから幅方向９において距離Ｌ４の間隔を空けて配置される２つの拍車支持部４６Ａに支持されるコイルバネ４３Ｂは巻き方向が異なる。このように構成することで、記録用紙１４が幅方向９における中央基準で搬送される場合に、どのサイズの記録用紙１４が搬送されても、搬送される記録用紙１４の幅方向９における最も外側に配置される２つのコイルバネ４３Ｂの巻き方向を異なるようにすることができる。これにより、上述した変形例１と同様、複数種類の記録用紙１４それぞれに対して斜行を効果的に抑制することが可能となる。
【００５４】
［変形例３］
図９に、本変形例３における拍車支持部４６Ａを示す。本変形例３における拍車支持部４６Ａは、軸体４３Ｂを搬送向き６に対して傾けて保持するように構成されている点において、上述した本実施形態と異なる。以下、詳細に説明する。
【００５５】
拍車支持部４６Ａの第１規制部７２は、搬送向き６において軸体４３Ｂを挟むようにして設けられ、互いに向かい合う第１規制面７２Ａと第２規制面７２Ｂを有する。また、第２規制部７３も同様に、搬送向き６において軸体４３Ｂを挟むようにして設けられ、互いに向かい合う第３規制面７３Ａと第４規制面７３Ｂを有する。これら４つの規制面は、第１規制部７２、第２規制部７３が軸体４３Ｂを保持する状態において、軸体４３Ｂと当接して軸体４３Ｂの傾きを規制する役割を持つ。
【００５６】
図９（Ａ）に示されるように、右巻きのコイルバネ４３Ｂ１を保持する第１規制部７２、第２規制部７３において、第１規制面７２Ａが第３規制面７３Ａよりも搬送向き６の下流側に位置し、更に、第２規制面７２Ｂが第４規制面７３Ｂよりも搬送向き６の下流側に位置している。一方、図９（Ｂ）に示されるように、左巻きのコイルバネ４３Ｂ２を保持する第１規制部７２、第２規制部７３においては、第１規制面７２Ａが第３規制面７３Ａよりも搬送向き６の上流側に位置し、更に、第２規制面７２Ｂが第４規制面７３Ｂよりも搬送向き６の上流側に位置している。これにより、第１規制部７２、第２規制部７３に保持される右巻きのコイルバネ４３Ｂ１は、第１拍車４３Ａが右巻きのコイルバネ４３Ｂ１の巻き方向に応じて傾きやすい向きと同じ向きに傾いた状態で保持される。また、第１規制部７２、第２規制部７３に保持される左巻きのコイルバネ４３Ｂ２は、第１拍車４３Ａが左巻きのコイルバネ４３Ｂ２の巻き方向に応じて傾きやすい向きと同じ向きに傾いた状態で保持される。なお、図９（Ａ）及び図９（Ｂ）は、説明の便宜上、コイルバネ４３Ｂの傾きを大きく表現している。
【００５７】
このように、第１拍車４３Ａが傾きやすい向きと同じ向きにコイルバネ４３Ｂが傾くように、第１規制部７２、第２規制部７３を構成することにより、第１拍車４３Ａは、より確実にコイルバネ４３Ｂの巻き方向に応じた向きに傾きやすくすることが可能となる。また、本変形例３では、第１拍車４３Ａが傾きやすい向きと同じ向きにコイルバネ４３Ｂが傾くように第１規制部７２、第２規制部７３を構成する例を示したが、第１拍車４３Ａが傾きやすい向きと逆の向きにコイルバネ４３Ｂが傾くように第１規制部７２、第２規制部７３を構成するようにしてもよい。つまり、右巻きのコイルバネ４３Ｂ１を保持する第１規制部７２、第２規制部７３において、第１規制面７２Ａが第３規制面７３Ａよりも搬送向き６の上流側に位置し、更に、第２規制面７２Ｂが第４規制面７３Ｂよりも搬送向き６の上流側に位置するように構成する。一方、左巻きのコイルバネ４３Ｂ２を保持する第１規制部７２、第２規制部７３において、第１規制面７２Ａが第３規制面７３Ａよりも搬送向き６の下流側に位置し、更に、第２規制面７２Ｂが第４規制面７３Ｂよりも搬送向き６の下流側に位置するように構成する。この場合、第１拍車４３Ａがコイルバネ４３Ｂの巻き方向に応じた向きに傾いた際に、第１拍車４３Ａの傾きの大きさを抑えることができ、記録用紙１４の斜行の程度を小さくすることができる。
【００５８】
［変形例４］
図１０に、本変形例４における拍車支持部４６Ａを示す。本変形例４における拍車支持部４６Ａの当接部７１は、コイルバネ４３Ｂよりも搬送向き６の上流側において第１拍車４３Ａと当接可能な２つの第１当接面７１Ｂと、コイルバネ４３Ｂよりも搬送向き６の下流側において第１拍車４３Ａと当接可能な２つの第２当接面７１Ｃを有している。第１当接面７１Ｂと第２当接面７１Ｃはどちらも、幅方向９において第１拍車４３Ａを挟むようにして向かい合って形成されている。
【００５９】
図１０（Ａ）に示されるように、右巻きのコイルバネ４３Ｂ１を支持する拍車支持部４６Ａでは、幅方向９において、２つの第１当接面７１Ｂのうち左側に形成された第１当接面７１Ｂの位置は、２つの第２当接面７１Ｃのうち左側に形成された第２当接面７１Ｃの位置よりも左側となるように構成されている。また、幅方向９において、２つの第１当接面７１Ｂのうち右側に形成された第１当接面７１Ｂの位置は、２つの第２当接面７１Ｃのうち右側に形成された第２当接面７１Ｃの位置よりも左側となるように構成されている。
【００６０】
また、図１０（Ｂ）に示されるように、左巻きのコイルバネ４３Ｂ２を支持する拍車支持部４６Ａでは、幅方向９において、２つの第１当接面７１Ｂのうち左側に形成された第１当接面７１Ｂの位置は、２つの第２当接面７１Ｃのうち左側に形成された第２当接面７１Ｃの位置よりも右側となるように構成されている。また、幅方向９において、２つの第１当接面７１Ｂのうち右側に形成された第１当接面７１Ｂの位置は、２つの第２当接面７１Ｃのうち右側に形成された第２当接面７１Ｃの位置よりも右側となるように構成されている。
【００６１】
以上のように、本変形例４における拍車支持部４６Ａは、第１拍車４３Ａがコイルバネ４３Ｂの巻き方向に応じた向きと逆の向きに傾くことを規制し、コイルバネ４３Ｂの巻き方向に応じた向きに傾きやすくなるように構成されている。これにより、第１拍車４３Ａは、より確実にコイルバネ４３Ｂの巻き方向に応じた向きに傾きやすくなり、記録用紙１４の斜行をより効果的に抑制することが可能となる。
【００６２】
［実施形態の効果］
本実施形態では、複数の第１拍車４３Ａを支持する複数の軸体４３Ｂ（コイルバネ）として、巻き方向が右巻きのコイルバネ４３Ｂ１と巻き方向が左巻きのコイルバネ４３Ｂ２を用いている。
【００６３】
この場合、複数の第１拍車４３Ａが同じ向きに傾くことを抑制し、搬送向き６に搬送される記録用紙１４が、第１拍車４３Ａの傾く向きに倣って斜行して搬送されることを抑制することができる。
【００６４】
また、複数のコイルバネ４３Ｂのうち、記録用紙１４が通過する幅方向９における領域内の両外側に配置される２つのコイルバネ４３Ｂの巻き方向が異なっている。あるいは、幅方向９において隣り合う２つのコイルバネ４３Ｂの巻き方向が異なっている。
【００６５】
この場合、第１拍車４３Ａが記録用紙１４に与える、記録用紙１４を斜行して搬送させようとする力を、複数の第１拍車４３Ａの間で打ち消し合うことができる。これにより、より効果的に記録用紙１４の斜行を抑制することが可能となる。
【００６６】
また、右巻きのコイルバネ４３Ｂ１及び左巻きのコイルバネ４３Ｂ２のどちらか一方には第１突出部４３Ｄを設け、他方には第１突出部４３Ｄと形状の異なる第２突出部４３Ｅを設ける。更に、第１突出部４３Ｄを有するコイルバネ４３Ｂを保持する拍車支持部４６Ａには第１突出部４３Ｄと係合する第１係合部７２Ｃ、７３Ｃを設け、第２突出部４３Ｅを有するコイルバネ４３Ｂを保持する拍車支持部４６Ａには第２突出部４３Ｅと係合する第２係合部７２Ｄ、７３Ｄを設ける構成とした。
【００６７】
この場合、製品の組み立て時、巻き方向の異なる２種類のコイルバネ４３Ｂを誤った位置に組み付けてしまう虞を低減することができ、製品の組み立て性を向上させることができる。
【００６８】
また、第１規制部７２、第２規制部７３を、軸体４３Ｂが搬送向き６に対して傾いた姿勢で軸体４３Ｂを保持するように構成した。この場合、巻き方向の異なるコイルバネ４３Ｂそれぞれに応じた向きに第１拍車４３Ａが傾きやすくなるので、より効果的に記録用紙１４の斜行を抑制することができる。
【００６９】
記録用紙１４が、本発明のシートの一例である。給送トレイ１３が、本発明のシート収容部の一例である。搬送路２９が、本発明の搬送経路の一例である。第１ガイド部材２９Ａが、本発明の第１ガイド部材の一例である。第２ガイド部材２９Ｂが、本発明の第２ガイド部材の一例である。排出ローラ４２Ａが、本発明の搬送ローラの一例である。第１拍車４２Ａが、本発明の従動ローラの一例である。軸体４３Ｂ、右巻きのコイルバネ４３Ｂ１、及び左巻きのコイルバネ４３Ｂ２が、本発明のコイルバネの一例である。Ａ４サイズの記録用紙Ｐ１が、本発明の第１サイズのシートの一例である。ハガキＰ２が、本発明の第２サイズのシートの一例である。拍車支持部４６Ａが、本発明の従動ローラホルダの一例である。第１突出部４３Ｄが、本発明の第１突出部の一例である。第２突出部４３Ｅが、本発明の第２突出部の一例である。第１係合部７２Ｃ、７３Ｃが、本発明の第１係合部の一例である。第２係合部７２Ｄ、７３Ｄが、本発明の第２係合部の一例である。第１規制部７２が、本発明の第１規制部の一例である。第２規制部７３が、本発明の第２規制部の一例である。第１規制面７２Ａ、第２規制面７２Ｂ、第３規制面７３Ａ、及び第４規制面７３Ｂが、本発明の規制面の一例である。第１当接面７１Ｂが、本発明の第１当接面の一例である。第２当接面７１Ｃが、本発明の第２当接面の一例である。
【符号の説明】
【００７０】
１０・・・・・・・複合機
１１・・・・・・・装置本体
１３・・・・・・・給送トレイ
１４・・・・・・・記録用紙
２９・・・・・・・搬送路
２９Ａ・・・・・・第１ガイド部材
２９Ｂ・・・・・・第２ガイド部材
４２Ａ・・・・・・排出ローラ
４３Ａ・・・・・・第１拍車
４３Ｂ・・・・・・軸体（コイルバネ）
４３Ｂ１・・・・・右巻きのコイルバネ
４３Ｂ２・・・・・左巻きのコイルバネ
４３Ｄ・・・・・・第１突出部
４３Ｅ・・・・・・第２突出部
４３Ｆ・・・・・・軸部
４６Ａ・・・・・・拍車支持部
７１・・・・・・・当接部
７１Ａ・・・・・・当接面
７１Ｂ・・・・・・第１当接面
７１Ｃ・・・・・・第２当接面
７２・・・・・・・第１規制部
７３・・・・・・・第２規制部
７２Ａ・・・・・・第１規制面
７２Ｂ・・・・・・第２規制面
７２Ｃ、７３Ｃ・・第１係合部
７２Ｄ、７３Ｄ・・第２係合部
７３Ａ・・・・・・第３規制面
７３Ｂ・・・・・・第４規制面
【図１】
2019131349.tif 000003
【図２】
2019131349.tif 000004
【図３】
2019131349.tif 000005
【図４】
2019131349.tif 000006
【図５】
2019131349.tif 000007
【図６】
2019131349.tif 000008
【図７】
2019131349.tif 000009
【図８】
2019131349.tif 000010
【図９】
2019131349.tif 000011
【図１０】
2019131349.tif 000012